(57)【要約】      （修正有）【課題】補助体の設置により、様々な足型矯正に適用できる靴パッドを提供する。【解決手段】靴パッド２０は補助体２２と靴パッドの本体２１と一体して成形する構造形態からなる。靴パッド２０は靴体１０のスタイルに合わせる本体２１を設けられ、本体２１は使用者のかかとに対応されたかかと部２１１と、使用者の土踏まずに対応された土踏まず部２１２と、を備える。靴パッド２０は本体１０のいずれかの所定位置に一体して、本体２１の底面の所定の高さを突き出す補助体２２が設けられている。【選択図】図３
0003199986.tif 000002
【実用新案登録請求の範囲】
【請求項１】
靴パッドであって、
使用者のかかと部に対応する靴体のスタイルに合わせた本体と、使用者の土踏まずに対応する土踏まず部と、を備え、
前記靴パッドは本体のいずれかの所定部位にて、前記本体の底面より所定の高さを突き出す補助体を設けられている
ことを特徴とする靴パッド。
【請求項２】
靴パッドであって、使用者のかかと部に対応する靴体のスタイルに合わせた本体と、使用者の土踏まずに対応する土踏まず部と、を備え、
前記靴パッドは本体のいずれかの所定部位にて、前記本体の底面より所定の高さを突き出す補助体を追加設置されている
ことを特徴とする靴パッド。
【請求項３】
前記補助体は前記本体のかかと部に設けられている
ことを特徴とする請求項１または請求項２記載の靴パッド。
【請求項４】
前記補助体は前記本体のかかと部に、かつ前記本体の外側に偏るように設けられている
ことを特徴とする請求項１または請求項２記載の靴パッド。
【請求項５】
前記補助体は前記本体のかかと部に、かつ前記本体の内側に偏るように設けられている
ことを時徴とする請求項１または請求項２記載の靴パッド。
【請求項６】
前記補助体は前記本体の土踏まず部に設けられて
いることを特徴とする請求項１または請求項２記載の靴パッド。
【請求項７】
前記補助体は接着方式によって、前記本体に固定し結合する
ことを特徴とする請求項２記載の靴パッド。
【請求項８】
前記本体と前記補助体は、それぞれ少なくとも一つの対応に係着可能な第１、第２係着部を設けられている
ことを特徴とする請求項２記載の靴パッド。
【請求項９】
前記第１係着部は嵌め込み体であり、前記第２係着部は前記嵌め込み体の係着に備える凹み溝である
ことを特徴とする請求項８記載の靴パッド。
【考案の詳細な説明】
【技術分野】
【０００１】
本考案は靴パッドに関し、特に補助体の設置により、様々な足型矯正に適用出きる靴パッドに関する。
【背景技術】
【０００２】
人間は両足を立てて歩ける多関節の骨格構造を持っている。そのため、すべての体重ならびに負荷は両足によって担われている。さらに、両足は重量を支えるほかに、歩行または走るときの踏み力または力走のときも両足が利用されており、足部は吸収器、倍力装置及び平衡器の働きを兼ね合わせている。生理構造から見ると、人間の足部は筋肉、腱、靱帯、血管、神経及び皮膚など、２６個の骨より巧みに構成されているが、しかし、人体の足部は先天的または後天的な影響を受けることによって、その構造は大まかにナチュラルアーチ型、フラット型と、ハイアーチ型の３つのタイプに分けられる。
【０００３】
ナチュラルアーチ型は最も良いアーチ状を持っていて、足底の内側は足にかかる衝撃を和らげるため、完璧に上向きのアーチ状が形成され、立つときの重量はバランスが釣り合って両足の中間部にかかり、体の骨格並び経絡とも正常、かつ健康に維持することができる。フラット型は偏平足ともいい、足部には異 常な内側に旋回する動きをして、足部内側の縦方向の土踏まずは下方につぶれていて、かかとの踵骨は外部に傾き、拇指が外部に広げて変形し足底の靭帯が長く引っ張られた結果、かかと部、脛部と膝部に影響するほか、大腿部と骨盤が傾斜して回転するか、または尾骨が下方に移動し脊椎側湾症を引き起こして、型部のバランスが崩れる。
【０００４】
偏平足の人が立つとき、重量は両足の内側に集中し、歩くときはハの字を形成していて、足底部の痛み、足底筋膜炎、アキレスけん炎などを引き起こしやすい。ハイアーチ型は異常な外側に旋回する動きをして、かかと部の踵骨は内側への傾きがみられる他、足底の土踏まずが非常に持ち上がっているため、足背の靭帯がきつ過ぎ、または骨格が変形を引き起こして、踵骨と趾の弧度が増加するため、凹足ともいう。
【考案の概要】
【考案が解決しようとする課題】
【０００５】
ハイアーチ型は震動に対する吸収力は少なく、圧力がかかと部と、足の裏に集中される。さらに、ハイアーチ型は常に足底筋膜炎、蹠骨痛、膝関節炎などの症状が伴う。しかし、足型を矯正するための靴の中敷きまたは靴そのものは一種のみの異常に対してなされたものであって、全面的に対応することは難しく、一人一人それぞれの状況に基づいて、さらなるの調節はできなく、使用の面は理想といえない。
【課題を解決するための手段】
【０００６】
本考案の主な目的は補助体の設置により、様々な足型矯正に適用できる靴パッドを提供する。
【０００７】
前述目的を達成するため、本考案の靴パッドは主に以下に示す２つの基本タイプがある。
【０００８】
不考案の靴パッド第１種の基本形態は、靴体に合わせた本体を設けられ、本体は使用者のかかとに対応するかかと部と、使用者の土踏まずに対応する土踏まず部と、を備える。特徴として、靴パッドは本体いずれかの所定の部位において、本体の底面を突き出して所定の高さを有する補助体を設けられている。
【０００９】
本考案の靴パッド第２種の基本形態は、靴体に合わせた本体を設けられ、本体は使用者のかかとに対応するかかと部と、使用者の土踏まずに対応する土踏まず部と、を備える。特徴として、靴パッドは本体いずれかの所定の部位において、本体の底面を突き出して所定の高さの補助体をさらに設けられている。
【００１０】
前述いずれかの構造形態におかれても、補助体の位置は使用者それぞれ足型のニーズに応じて設置することができる。靴パッドを靴体に入れたとき、矯正必要な足型は靴パッドと補助体の助けによって、強化必要な支持力とバランスの釣り合いを強化して、一般のナチュラルアーチ型のように歩くか、または走ることができ、足部の健康を維持できる。
【００１１】
前述いずれかの構造形態においても、補助体は本体のかかと部に設けることができる。
【００１２】
前述いずれかの構造形態においても、補助体は本体のかかと部に設けて、本体の外側に偏ることができる。
【００１３】
前述いずれかの構造形態においても、補助体は本体のかかと部に設けて、本体の内側に偏ることができる。
【００１４】
前述いずれかの構造形態においても、補助体は本体のアーチ部に設けることができる。
【００１５】
前述第２の基本形態の主な特徴に基づき、補助体は接着方式によって、本体に接着して固定することができる。
【００１６】
前述第２の基本形態の主な特徴に基づき、本体と補助体はそれぞれ少なくとも一つの係着結合に対応する第１，第２係着部を設けられている。
【００１７】
前述第１係着部は嵌め込み体で、あり、第２係着部は対応して嵌め込むことができる凹み溝である。
【考案の効果】
【００１８】
本考案を適用すれば、具体的に以下の効果を有する。
【００１９】
イ、靴パッドは使用者のニーズに完全一致することができる。
【００２０】
ロ、使用者が歩くまたは走るときは、一般の足型のように正常な支えとバランスの釣り合が得られる。
【００２１】
ハ、靴パッド全体の構造は比較的に安定して信頼性が高い。
【図面の簡単な説明】
【００２２】
【図１】本考案の実施例１による靴パッドの外観構造図である。
【図２】本考実の実施例１による靴パッドの底部構造の平面図である。
【図３】本考案の実施例１による靴パッド構造の断面図である。
【図４】本考案の実施例２による靴パッドの外観構造図である。
【図５】本考案の実施例２による靴パッドの底部構造の平面図である。
【図６】本考案の実施例２による靴パッド構造の断面図である。
【図７】本考案の実施例３による靴パッド構造の分解図である。
【図８】本考案の実施例４による靴パッド構造の分解図である。
【考案を実施するための形態】
【００２３】
本考案の特徴のさらなる理解を図るため、図式と実施例をもって、詳細説明する。
【００２４】
本考案は主に靴パッド所定位置に補助体を結合することによって、靴パッドを靴に取り付けたとき、矯正必要な足型は靴パッドと補助体の助けによって、強化必要な箇所の支持力とバランスの釣り合いを強化し、一般のナチュラルアーチ型のように歩くまたは走ることができ、足部の健康を維持できる。本考案の靴パッドを実施するとき、補助体は靴パッドの本体と一体して成形するかまたは、独立して靴パッドの本体に追加する方式をもって、本体に取り付けることができる。
【００２５】
図１ないし図６に示すように、本考案の靴パッドは補助体と靴パッドの本体と一体して成形する構造形態からなる。靴パッド２０は靴体１０のスタイルに合わせる本体２１を設けられ、本体２１は使用者のかかとに対応されたかかと部２１１と、使用者の土踏まずに対応された土踏まず部２１２と、を備える。
靴パッド２０は本体１０のいずれかの所定位置に一体して、本体２１の底面の所定の高さを突き出す補助体２２が設けられている特徴を有する。
【００２６】
補助体２２の位置は使用者それぞれの足型のニーズに応じて設置することができる。靴パッド２０を靴体１０に入れたとき、矯正必要な足型は靴パッド２０と補助体２２の助けによって、強化必要な支持力とバランスの釣り合いを強化して、一般のナチュラルアーチ型のように歩くかまたは走ることができ、足部の健康を推持できる。
【００２７】
実施するとき、補助体２２を本体２１のかかと部２１１に設けるかまたは本体２１の土踏まず部２１２に設けることができる。図１ないし図３に示すよう に、ハイアーチ型の使用者に適用する例として、ハイアーチ型は異常な外側に旋回する動きと、かかとの踵骨は内向きに傾ける現象があり、足底の土踏まずが非常に持ち上がっているため、補助体２２は本体２１のかかと部２１１、かつ本体２１の外側に偏る場所に取り付けて、バランスの釣り合いにより、歩くかまたは走るとき一般のナチュラルアーチ型のように、正常な支えとバランスの釣り合いが得られる。
【００２８】
引き続き、図４ないし図６に示すように、偏平足に適用した場合の実施例について、偏平足の使用者がたつとき、重量が両足の内側部位に集中されることから、ハの字の歩き方をする。よって、補助体２２は本体２１のかかと部２１１、かつ本体２１の内側に偏ることによって、バランスの釣り合いを達成し歩くかまたは走るとき一般のナチュラルアーチ型のように、正常な支えとバラン スの釣り合いが得られる。
【００２９】
図７と図８に示すように、本考案の靴パッドは補助体２２と靴パッド２０の本体と一体して成形する構造形態からなる。靴パッド２０は同じく、靴体２１スタイルに合わせる本体２１を設けられ、本体２１は使用者のかかとに対応されたかかと部２１１と、使用者の土踏まずに対応された土踏まず部２１２と、を備える。靴パッド２０は本体１０のいずれかの所定位置に一体して、本体２１の底面の所定の高さを突き出す補助体２２を凸設する特徴を有する。
【００３０】
実施するとき、補助体２２を接着方式によって、本体２１に接着固定するかまたは図に示すように、本体２１と補助体２２にそれぞれ対応して係着する第１、第２係着部２１３、２２１を設ける。前述第１係着部２１３は例えば嵌め込み体を設け、前記第２係着部２２１は例えば嵌め込み体に対応して嵌め込む ことができる凹み溝を設ける。よって、さまざまな足型の使用者が靴を履くときに、自分の状況に基づいて、補助体２２を本体２１の最適位置に貼り合わせて、支えと釣り合ったバランスを形成する。
【００３１】
同じく、補助体２２を本体２１のかかと部２１１または本体２１の土踏まず部２１２に設けることができるほか、補助体２２を本体２１のかかと部２１１に設けて、かつ本体２１の外側に偏り、または補助体２２を本体２１のかかと部２１１に設けて、本体２１の内側に偏ることもできる。
【００３２】
従来の公知技術の構造に比べて、本考案は従来技術の使用効果を向上できる。使用者のニーズを完全に一致する靴パッドを実現できるほか、使用者が歩くか又は走るとき一般のナチュラルアーチ型のように、正常な支えとバランスの釣り合いが得られるほか、靴パッド全体の構造が安定し、信頼性も高い。産業上の利用価値を有する。よって、考案者は法により、実用新案登録を出願し、ご許可を願いたい。
【００３３】
前記実施例は本考案の好ましい実施例を例示する目的であり、この分野における通常の技量を有するものは、様々な変化によって等価な作用効果を奏する例を思案でき、これらのすべては本考案の精神と範疇に含まれるものである。
【符号の説明】
【００３４】
１０      靴体
２０      靴パッド
２１      本体
２１１    かかと部
２１２    土踏まず部
２１３    第１系着部
２２      補助体
２２１    第２係着部
【図１】
0003199986.tif 000003
【図２】
0003199986.tif 000004
【図３】
0003199986.tif 000005
【図４】
0003199986.tif 000006
【図５】
0003199986.tif 000007
【図６】
0003199986.tif 000008
【図７】
0003199986.tif 000009
【図８】
0003199986.tif 000010
【手続補正書】
【提出日】平成27年7月15日(2015.7.15)
【手続補正１】
【補正対象書類名】実用新案登録請求の範囲
【補正対象項目名】全文
【補正方法】変更
【補正の内容】
【実用新案登録請求の範囲】
【請求項１】
靴パッドであって、
使用者のかかと部に対応するかかと部と、使用者の土踏まずに対応する土踏まず部と、を有する本体を備え、
前記本体のいずれかの所定部位にて、前記本体の底面より所定の高さを突き出す補助体を有している
ことを特徴とする靴パッド。
【請求項２】
靴パッドであって、
使用者のかかと部に対応するかかと部と、使用者の土踏まずに対応する土踏まず部と、を有する本体を備え、
前記本体のいずれかの所定部位にて、前記本体の底面より所定の高さを突き出す補助体が追加設置されている
ことを特徴とする靴パッド。
【請求項３】
前記補助体は前記本体のかかと部に設けられている
ことを特徴とする請求項１または請求項２記載の靴パッド。
【請求項４】
前記補助体は前記本体のかかと部に、かつ前記本体の外側に偏るように設けられている
ことを特徴とする請求項１または請求項２記載の靴パッド。
【請求項５】
前記補助体は前記本体のかかと部に、かつ前記本体の内側に偏るように設けられている
ことを時徴とする請求項１または請求項２記載の靴パッド。
【請求項６】
前記補助体は前記本体の土踏まず部に設けられて
いることを特徴とする請求項１または請求項２記載の靴パッド。
【請求項７】
前記補助体は接着方式によって、前記本体に固定し結合する
ことを特徴とする請求項２記載の靴パッド。
【請求項８】
前記本体と前記補助体は、それぞれ少なくとも一つの対応に係着可能な第１、第２係着部を設けられている
ことを特徴とする請求項２記載の靴パッド。
【請求項９】
前記第１係着部は嵌め込み体であり、前記第２係着部は前記嵌め込み体の係着に備える凹み溝である
ことを特徴とする請求項８記載の靴パッド。